(57)【特許請求の範囲】
【請求項１】
ネットワークを介して他の情報提供サイトから情報を取得することが可能なデータ処理装置の情報提供方法において、
ディスクトップ上に表示されるメニュー領域にメニューアイコンとして表示される状態では、その動作を停止状態とし、
前記メニューアイコンを前記メニュー領域からディスクトップ上にドラッグされた状態では前記ネットワークを介して取得した情報を表示するウィジェットとして動作し、
前記ウィジェットは、前記メニューアイコンごとに設定される個別動作プログラムと、
当該個別動作プログラムを統括的に制御する統括管理プログラムとから構成され、
前記ウィジェットは、該ウィジェットがディスクトップ上に表示される他のウィジェットからの情報をドラッグ操作で受け付け、前記個別動作プログラムに格納されている判定条件にしたがって受け入れ可能な情報か否かを判定し、受け入れ可能な情報であれば、他のウィジェットと自分のウィジェットの情報の表示内容を変更することを特徴とするデータ処理装置の情報提供方法。
【請求項２】
請求項１に記載のデータ処理装置の情報提供方法において、
前記ウィジェットは、前記受け入れ可能な情報と判定された前記他のウィジェットとの連携を前記統括管理プログラムに要求し、
前記統括管理プログラムは、前記他のウィジェットに表示内容の変更を支持すると共に、前記自分のウィジェットに連携表示の許可通知を出すことにより、他のウィジェットと自分のウィジェットの情報の表示内容を変更することを特徴とするデータ処理装置の情報提供方法。
【請求項３】
請求項２に記載のデータ処理装置に情報提供方法において、
前記統括管理プログラムは、
メニュー画像データと、前記メニュー領域の画像データと、動作プログラムデータと、利用者の個人情報を含む認証データと、情報を取得する相手アドレス情報を含み、前記他のウィジェットへの表示内容の変更指示および前記自分のウィジェットへの連携表示の許可通知をすると共に、前記他のウィジェットの近傍に認証要求ウィンドウを表示して所定時間内に認証手続が行われたかを監視し、
前記所定時間内に前記認証手続きが行われ、認証された場合、通信回線を通じて接続されたホストサーバにデータの更新要求を行い、更新内容に基づいて前記他のウィジェットおよび前記自分のウィジェットの表示内容を書き換えることを特徴とするデータ処理装置の情報提供方法。
【発明の詳細な説明】
【技術分野】
【０００１】
本発明は、ネットワークを介して他の情報提供サイトから情報を取得することが可能なデータ処理装置の情報提供方法であって、特に、利用者端末のディスクトップ上で特定の機能を実行するための簡易的なアプリケーションであるウィジェットの表示方法に関する。
【背景技術】
【０００２】
近年、ディスクトップ上で特定の機能を実行するための簡易的なアプリケーションの総称として定義されるウィジェット（Widget）が脚光を浴びている。ウィジェットは、簡易なプログラムという意味でアプレットに近いといえるが、アプレットに比べるとよりグラフィカルユーザーインターフェース（GUI）の要素が強いという共通の特徴を持っていると言われる。ウィジェットとして提供される機能は多様であり、計算機のようなものからニュースリーダー、スケジュール管理や天気予報、ウェブカメラ映像の表示、簡単なゲーム、株価チェックなど様々なものが提供されている。オンラインで提供されているWebサービスをディスクトップ環境で利用できるようにしたウィジェットも多数開発されている。ウィジェットは、2005年末頃に注目を集めるようになり、アプリケーションの一形態として急速に普及している。
【０００３】
一方、ネットワークを介して提供される金融機関などのサービスは、利用者がサービスサイトにアクセスし、定型的なサービスメニューの中から特定のサービスを選択して利用しなければならない。したがって、利用者が複数のサービスの提供を受けようとすると、サービスサイトを記録するなどはできるものの、常時、当該サイトからの情報を受けることができなかった。
【０００４】
【非特許文献１】日経産業新聞、２００７年９月２３日、３頁
【発明の開示】
【発明が解決しようとする課題】
【０００５】
金融機関などの各種のサービスの利用を前記ウィジェットを利用できれば有効である。しかし、これらのウィジェットはディスクトップ上で常時起動するものであって、必要でないときは削除し、また必要なときはダウンロードする必要があった。
【０００６】
そこで、本発明の目的は、利用者の好みに即してカスタマイズする即応性のあるサービスを提供することにある。
【課題を解決するための手段】
【０００７】
本発明に係るデータ処理装置の情報提供方法は、ネットワークを介して他の情報提供サイトから情報を取得することが可能なデータ処理装置に適用され、ディスクトップ上に表示されるメニュー領域にメニューアイコンとして表示される状態では、その動作を停止状態とし、前記メニューアイコンを前記メニュー領域からディスクトップ上にドラッグされた状態では前記ネットワークを介して取得した情報を表示するウィジェットとして動作するようにする。
【発明の効果】
【０００８】
本発明によれば、必要なウィジェットを任意のメニューとしてディスクトップ上に表示し、このメニューからドラッグの操作でディスクトップ上に表示したり削除したりすることができるので、利用者の好みに即してカスタマイズする即応性のあるサービスを提供することができる。
【発明を実施するための最良の形態】
【０００９】
図１から図１３を参照して、本発明に係るウィジェットシステムを具体的に説明する。以下の説明では、金融情報提供システムを事例にして説明するが、本発明は、このシステムに限定されるものではなく、ネットワークを介して特定のサービス会社が単独または主体となって各種の情報提供や取引のサービスを利用者端末（データ処理装置）に提供する情報提供・取引システムに適用することができる。
【００１０】
先ず、図１を参照して、このウィジェットシステムを利用した金融情報提供システムの概要を説明する。ここで、図１は、金融情報提供システムのシステム構成図である。
【００１１】
図１において、この金融情報提供システムは、この金融情報提供システムにネットワーク１０を介して参加する利用者端末（データ処理装置）１００と、この利用者端末１００に各種の情報を提供する金融機関ホストサーバ２０と、この金融機関ホストサーバ２０と連携して前記利用者端末１００に各種の情報を提供する情報提供会社７０とを含んで構成される。ここで、図１では、利用者端末１００と情報提供会社７０を説明を簡略するために1個で図示しているが多数参加することができる。また、金融機関ホストサーバ２０も説明を簡略するために1個で図示しているが、複数の支店システムと、これを管理する複数のホストサーバからなるシステムで構成することができる。
【００１２】
利用者端末１００は、端末本体１０１と、表示装置１０２と、キーボード１０３と、マウス１０４と、スピーカ１０５とを含んで構成される極一般的なパーソナルコンピュータで利用することができる。ここで、端末本体１０１は、ネットワーク１０に接続可能な通信装置１０６と、各種の情報やプログラムを格納することができる記憶装置１０７と、この利用者端末１００を統括的に制御する制御装置１０８を含んで構成される。もちろん、図１では、ディスクトップ型のパーソナルコンピュータで図示しているが、後で説明するディスクトップ１５０を表示画面上に表示可能な表示装置を備えたノート型のパーソナルコンピュータやモバイル端末でもこの金融情報提供システムに参加することができる。
【００１３】
前記金融機関ホストサーバ２０の各機器（コンピュータ）は、ＨＵＢサーバ２１を介して他の図示しない営業店舗の機器（コンピュータ）や専門センタの機器（コンピュータ）と通信装置２９を介して接続することで、金融機関内の全ての情報を統括管理している。このＨＵＢサーバ２１は、ゲートウエイサーバを兼用するものであり、チャネル系ＡＰサーバ群を統括する統合チャネルサーバ２２と、勘定系ホストサーバ２３と、このウィジェットシステムを管理するウィジェット管理サーバ２４と、全ての顧客情報を統括的に管理する顧客情報管理サーバ２５などが接続される。
【００１４】
また、統合チャネルサーバ２２は、前記ネットワーク１０を介して図示しない営業店舗の機器（コンピュータ）と接続されて、営業店舗の機器（コンピュータ）に各種の情報を提供する支援システムである。この統合チャネルサーバ２２の統括下には、顧客の利用状況を管理する顧客管理サーバ３０と、口座の残高状況を管理する残高管理サーバ２６と、顧客の利用履歴を管理する履歴管理サーバ２７と、顧客の取引状況を管理する取引管理サーバ２８とを含んで構成される。この他、この統合チャネルサーバ２２は、図示しない、ＩＢコンテンツ情報を備えたＩＢサーバと、営業店のコンテンツ情報を備えた営業店ＡＰサーバと、来店顧客情報を備えた来店管理サーバと、商品のコンテンツ情報を備えた商品情報サーバと、行員情報を備えた行員管理サーバとを備えている。
【００１５】
この金融機関ホストサーバ２０が主体となって運営するウィジェットシステムは、ウィジェット管理サーバ２４が主体となって提供するものであり、このウィジェットシステムで提供する各種サービスは、ウィジェット管理サーバ２４が金融機関ホストサーバ２０を構成する各種サーバから情報を収集して、これをウィジェットシステムを介して各利用者端末１００に提供する。この他、この金融機関システムには前記ネットワーク１０を介して他の金融システムや各種のサービスサイトの機器（コンピュータ）に接続することができる。
【００１６】
また、情報提供会社７０は、ネットワーク１０上に開設されるサービスサイトを介して各種の情報を提供するものであり、ネットワーク１０と接続するための通信装置７１と、各種の情報を格納する記憶装置７２と、この情報提供会社７０を構成するハード資源を統括的に管理する情報提供サーバ７３とを含んで構成される。この情報提供会社７０は、ウィジェットシステムで提供される情報の提供先として定義される。
【００１７】
そして、このウィジェットシステムの大きな特徴の１つは、このシステムで提供する各種サービスを、特定のサービス毎にサービスメニューとして準備し、これをウィジェット形式で利用者端末１００に提供する点にある。ここで定義するウィジェットとは、利用者端末１００のディスクトップ１５０上で特定の機能を実行するための簡易的なアプリケーションである。このウィジェットは、ネットワーク１０を介して情報提供会社７０などが提供する情報を閲覧する閲覧ウィジェット１１０ａと、ネットワーク１０を介してウィジェット管理サーバ２４などと接続して各種の取引を可能とする取引ウィジェット１１０ｂとに大別することができる。
【００１８】
これらウィジェットは、ディスクトップ１５０上で、情報表示部１１１を備えたウィジェットアイコン１１０として表示することができる。そして、閲覧ウィジェット１１０ａは、定期的にあるいは必要に応じて情報提供会社７０などから入手した情報を情報表示部１１１に表示することができる。また、取引ウィジェット１１０ｂは、ディスクトップ１５０上に存在する他の取引ウィジェット１１０ｂとの間で情報や証券あるいは金銭などの取引をドラッグなどの手続きで行うことができる。
【００１９】
このように、このウィジェットシステムによれば、表示画面を切り替える操作を行うことなく、ウィジェットアイコン１１０を介して、ディスクトップ１５０上に必要な情報を随時表示することができるとともに、簡単なドラッグ操作で他のウィジェットアイコン１１０との間で取引を実行することができる。
【００２０】
また、このウィジェットシステムの大きな特徴の他の１つは、ウィジェット管理サーバ２４から任意に選択したウィジェットを、利用者端末１００のディスクトップ１５０上に設けたウィジェットメニュー領域１２０にメニューアイコン１３０として表示する点にある。このウィジェットメニュー領域１２０に表示されるメニューアイコン１３０は、このメニューアイコン１３０をディスクトップ１５０上にドラッグすることでウィジェットアイコン１１０が生成され、この生成に基づいて、ウィジェットアイコン１１０が動作状態となる。また、このウィジェットアイコン１１０をディスクトップ１５０上から削除することで、ウィジェットアイコン１１０の動作を停止状態とすることができる。
【００２１】
このように、このウィジェットシステムによれば、利用者が、その好みに応じたサービスをウィジェットメニュー領域１２０に作成することができる。したがって、サービスを受けるたびごとにウィジェット管理サーバ２４にアクセスする必要なく、一括してウィジェットをダウンロードすることができる。しかも、このウィジェットメニュー領域１２０に表示されるウィジェットはその事自体では起動しない。即ち、休眠状態とすることができる。そして、休眠状態のウィジェットは、このウィジェットメニュー領域１２０のメニューアイコン１３０をディスクトップ１５０上にドラッグするという簡単な操作で、動作状態とすることができる。また、ディスクトップ１５０上からウィジェットアイコン１１０を削除することで、また休眠状態として、ディスクトップ１５０を広く利用することができる。
【００２２】
また、このウィジェットシステムの大きな特徴の１つは、ディスクトップ１５０上に生成したウィジェットアイコン１１０は、利用者端末１００の電源ＯＦＦ時に記憶されるため、再度の電源ＯＮ時に同じディスクトップ１５０の環境で作業をすることができる。
【００２３】
以下、図２から図１３を参照して、このウィジェットシステムを更に詳細に説明する。ここで、図２は金融機関ホストサーバの顧客のチャネル管理構成図である。図３は、ウィジェットのデータ構成図である。図４はウィジェットのダウンロードフロー図である。図５と図６はウィジェットのダウンロード時の画面遷移図である。図７はウィジェットアイコン１１０の生成時の動作フロー図である。図８は利用者端末の起動時の動作フロー図である。図９はディスクトップの画面図である。図１０は閲覧ウィジェットの動作フロー図である。図１１は取引ウィジェットの動作フロー図である。図１２は取引ウィジェットの画面図である。図１３は他の実施の形態に係るウィジェットアイコン１１０の生成時の動作フロー図である。
【００２４】
先ず、図２を参照して、金融機関ホストサーバ２０のサービス提供について説明する。図２において、この実施の形態に係る金融機関ホストサーバ２０は、ウィジェット管理サーバ２４を介して、さまざまなチャネル（ハード資源）に対して、利用者の好みに即してカスタマイズする即応性のあるサービスを提供している。図２には、そのサービスを体系的に示している。ウィジェット管理サーバ２４は、ＰＣ端末として位置づけられる以下の利用者端末１００に対する各種のサービスをモバイル端末や金融機関などに設置されるＡＴＭ（現金自動預入支払機）などに提供することができる。即ち、利用者は同じサービスをチャネルが変わっても受けることができる。
【００２５】
利用者が受けるサービスは、ウィジェット管理サーバ２４に図２に示すように登録管理されるので、同じサービスを他のチャネルでも受けることができる。もちろん、利用者とウィジェット管理サーバ２４との接点となるチャネルの表示画面は、そのチャネルによって大きさも操作方法も異なるので、同一にすることはできない。したがって、ウィジェット管理サーバ２４は、１つのサービスに対してチャネルごとに異なるウィジェットを用意している。以下の説明では、ディスクトップ１５０を表示可能なＰＣ端末（利用者端末１００）を事例で説明するが、他のチャネルでも利用者の好みに即してカスタマイズする即応性のある同種のサービスの提供を受けることができる。ここでは詳細な説明を省略する。
【００２６】
次に、図３を参照して、ウィジェットのデータ構成を説明する。図３において、この実施の形態では、ウィジェット管理サーバ２４は、さまざまなサービスごとに設定されるウィジェットデータ１７１と、このウィジェットデータ１７１を統括的に管理する統括管理プログラム１７０とを用意している。このウィジェットデータ１７１は、このウィジェットデータ１７１ごとに設定されるウィジェットアイコン１１０の画像データ１７２と動作プログラム１７３とを含んで構成される。
【００２７】
一方、統括管理プログラム１７０は、ディスクトップ１５０のウィジェットメニュー領域１２０を生成するメニュー画像データ１７４と、ウィジェットごとに設定されてメニュー画像データ１７４内に表示されるメニューアイコン１３０の画像データ１７５と、利用者端末１００におけるウィジェットを統括的に制御する動作プログラム１７６と、利用者の個人認証データ１７７と、ウィジェットごとに設定される通信先データ１７８とを含んで構成される。ここで、通信先データ１７８は１箇所に限定されるものではなく複数の通信相手が設定することができる。
【００２８】
さて、このウィジェットシステムでは、利用者がウィジェット管理サーバ２４にアクセスして任意のウィジェットを選択すると、その選択したウィジェットに対応するウィジェットデータ１７１と、この１または複数のウィジェットデータ１７１を管理する統括管理プログラム１７０を利用者端末１００にダウンロードすることができる。
【００２９】
次に、前記ダウンロードの操作フローを図４の動作フロー図を基に図５と図６の画面図を参照して説明する。なお、この説明では、ウィジェット管理サーバ２４の動作を金融機関ホストサーバ２０の動作として説明する。
【００３０】
図４において、利用者端末１００からネットワーク１０を介して金融機関ホストサーバ２０にアクセス要求を行うと（ステップ２０１）、金融機関ホストサーバ２０は暗証番号や会員番号などの入力要求を求める画面データを送信して個人認証要求を個人端末１００に行う（ステップ２２１）。これに対して、利用者端末１００から暗証番号などの入力が成されると（ステップ２０３）、金融機関ホストサーバ２０は認証がOKか否か顧客管理サーバ３０に照会して認証を行う（ステップ２２３）。
【００３１】
この実施の形態に係る金融情報提供システムでは、この金融機関に口座を有する顧客が利用者として参加することができる。即ち、ステップ２２３における認証は、この口座開設に伴う認証行為と同様な手続きで行われる。認証がOKの場合、金融機関ホストサーバ２０はサービスメニューの画面データを利用者端末１００に送信し（ステップ３２５）、利用者端末１００からウィジェットサービスの要求があれば（ステップ２０５）、図５に示すウィジェットメニューの画面データを利用者端末に送信する（ステップ３２７）。
【００３２】
図５において、利用者端末１００では、表示装置１０２に表示されるウィジェットメニュー５００を介して、希望するウィジェットを選択することができる。ウィジェットメニュー５００は、ウィジェットを識別するためのメニューアイコン１３０とサービスの概要５０１と詳細要求ボタン５０２と希望の有無選択欄５０３が一覧表示になっている。利用者は、サービスの概要５０１により、あるいは詳細要求ボタンの操作に基づいて表示される図示しないサブウインドウの説明を参考に回答欄５０３に希望するウィジェットをマークする。ウィジェットメニュー５００には、次へボタン５０４で次のステップに進んだり、戻りボタン５０５で１ステップ戻ったり、確定ボタン５０６で要求するウィジェットを確定することができる。
【００３３】
図６は、確定ボタン５０６が操作された状態を示している。この実施の形態では、ウィジェットメニュー５００での操作に対応して金融機関ホストサーバ２０から対応する画面データを利用者端末１００に送信する。確定ボタン５０６が操作されると金融機関ホストサーバ２０は図６の確認画面５１０を送信する。この確認画面５１０には、上段に利用者が選択したウィジェットのメニューアイコン１３０が提示され、かつ、暗証番号の入力欄５１１が設けてあり、この入力欄５１１の入力を行って送信ボタン５１２を操作することで、ウィジェットの選択操作を完了することができる（ステップ２０７）。なお、このウィジェットの選択操作については、詳細説明は省略する。
【００３４】
金融機関ホストサーバ２０は、ウィジェットの選択を受け付けると、図２に示すウィジェット管理データをウィジェット管理サーバ２４内またはこのウィジェット管理サーバ２４の管理下にある図示しない記憶装置に生成する（ステップ３２９）。このウィジェット管理データでは、各チャネルのサービス領域内に提供すべきデータを構築する。例えば、取引ウィジェット１１０ｂの１つである「お財布サービス」であれば、利用者の口座とリンクして残高などを生成する。あるいは、閲覧ウィジェット１１０ａであれば、閲覧できるデータを他のサーバから収集して構築したり、あるいは、提供する情報提供会社のアドレスを相手先として設定する。これらのウィジェット管理データは、利用者端末１００に提供される図３に示す統括管理プログラム１７０に反映される。
【００３５】
金融機関ホストサーバ２０はステップ３２９で生成したウィジェットのデータを利用者端末に１００に送信する（ステップ３３１）。そして、その履歴を履歴管理サーバ２６に格納する（ステップ３３３）。
【００３６】
前記ウィジェットのデータを送信された利用者端末の制御装置１０８は、この送られてきたウィジェットのデータをインストールする。即ち、制御装置１０８ははウィジェットのデータをプログラム領域に書き込むとともに、統括管理プログラム１７０の動作プログラムデータ１７６を起動させる起動アイコンをスタートアップメニューに生成し、メニューアイコン画像データ１７５に基づいてディスクトップ１５０上にウィジェットメニュー領域１２０を生成する（ステップ２０９）。
【００３７】
次に、図７を参照して、ウィジェットの起動を説明する。図７において、ウィジェットシステムがインストールされた利用者端末１００の制御装置１０８は、ウィジェットメニュー領域１２０のメニューアイコン１３０がディスクトップ１５０上にドラッグされたか否かを監視している（ステップ２４１）。メニューアイコン１３０がディスクトップ１５０上にドラッグされると、ドラッグされたメニューアイコン１３０のウィジェットにフラグを立てて記憶し（ステップ２４３）、このドラッグされたメニューアイコン１３０に対応するウィジェットアイコン１１０の画像データ１７２を呼び出してディスクトップ１５０上のドラッグされた位置にウィジェットアイコン１１０を生成して起動させる（ステップ２４５）。ここで、起動したウィジェットアイコン１１０は、その動作プログラムデータ１７３に基づいて動作を実行する。
【００３８】
一方、制御装置１０８は、ウィジェットアイコン１１０が削除されるか否かを監視している（ステップ３４７）。この実施の形態では、ウィジェットアイコン１１０の右上に削除ボタン１１２を設けてあり、この削除ボタン１１２を介して削除操作されると、制御装置１０８は、ウィジェットアイコン１１０をディスクトップ１５０上から削除して起動を停止し（ステップ３５３）、更に、この削除されたウィジェットアイコン１１０のフラグを削除する（ステップ３５５）。また、削除ボタン１１２が操作されずに利用者端末１００が終了処理されると（ステップ３４９）、制御装置１０８は、ディスクトップ１５０の画像を格納して（ステップ３５１）処理を終了する。
【００３９】
次に、図８を参照して、利用者端末１００の起動処理に基づくウィジェットシステムの起動を説明する。図８において、利用者端末１００が電源ONされると、制御装置１０８はウインドウシステムのOSを立ち上げ（ステップ３６１）、ユーザ認証を行う（ステップ３６３）。ここで、ユーザ認証はパーソナルコンピュータとして利用者が設定するものであるので、利用者が設定しなければ、このユーザ認証はなくてもよい。このユーザ認証が完了すると、図示しない利用者番号や暗証番号を入力する画面を出力してウィジェットシステムの認証を行う（ステップ３６５）。この認証が終了すると制御装置１０８は、図９に示すような、ウィジェットメニュー領域１２０が表示されるディスクトップ１５０を生成して表示する（ステップ３６７）。次に、制御装置１０８はスタートアップに格納される起動アイコンに基づいてウィジェットの動作プログラムデータ１７６を呼び込んでウィジェットシステムを立ち上げる（ステップ３６９）。そして、制御装置１０８はフラグが付いたメニューアイコン１３０を判定し、フラグがあるメニューアイコン１３０があれば、当該メニューアイコン１３０に関するウィジェットアイコン１１０を動作状態とする（ステップ３７１）。
【００４０】
次に、図９を参照して、ウィジェットシステムが導入された利用者端末１００のディスクトップ１５０を説明する。図９において、この実施の形態では、ウィジェットメニュー領域１２０を縦長帯状に設定してディスクトップ１５０の片側に配置したレイアウトとしている。ウィジェットメニュー領域１２０は、その辺や角部をドラッグすることで、その大きさを変形することができる。ウィジェットメニュー領域１２０には名称とアイコンが対と成ったメニューアイコン１３０が配置される。このウィジェットメニュー領域１２０によれば、利用者は、自分がダウンロードしているウィジェットを視覚的に認識することができる。
【００４１】
メニューアイコン１３０は、ウィジェットメニュー領域１２０からディスクトップ１５０上にドラッグすることで、ウィジェットアイコン１１０を表示させて起動させることができるし、また削除ボタン１１２を介してウィジェットアイコン１１０を消去して、ディスクトップ１５０を広く使うことができる。このように、この実施の形態では、ディスクトップ１５０を情報の掲示板として活用することができるとともに、それら情報が必要でないときは、消去してディスクトップを広く使うことができる。
【００４２】
さて、ここで、この実施の形態で採用しているウィジェットのいくつかを説明する。先ず、前記したように、この実施の形態ではウィジェットアイコン１１０を、閲覧ウィジェット１１０ａと、取引ウィジェット１１０ｂに大別することができる。
【００４３】
閲覧ウィジェット１１０ａとして、通帳ウィジェット１１０ａａと投資信託ウィジェット１１０ａｂとマーケット情報１１０ａｃと残高メーター１１０ａｄとコミュニティウィジェット１１０ａｅとバンクチャンネル１１０ａｆなどがある。通帳ウィジェット１１０ａａは、残高や取引明細を表示するものであり、登録すれば家族の通帳や貯金箱ウィジェットの残高も見ることができる。投資信託ウィジェット１１０ａｂは、購入している投資信託の基準価格等の情報を表示するものであり、また、関係するニュースをＷｅｂから収集して表示することができる。マーケット情報１１０ａｃは国内・国外のマーケット情報をリアルタイムで表示するものである。残高メーター１１０ａｄは、貯蓄の目標値を設定し、それに対して口座残高のプラスマイナスを針で示すことができる。コミュニティウィジェット１１０ａｅは、銀行ＨＰのコミュニティポータルページから、興味のあるコミュニティに参加することができるものであり、コミュニティのチャット（またはＴｗｉｔｔｅｒのようなもの）での発言を表示したり、ウィジェットにひとこと入力して発言もできる。バンクチャンネル１１０ａｆは、登録したキーワード、金融機関やその他の金融情報提供会社から配信された動画を表示するものであり、購入している株、投資信託の種類等のキーワードから、関係する動画を自動的に絞り込むことができる。
【００４４】
一方、取引ウィジェット１１０ｂは、お財布１１０ｂａと貯金箱ト１１０ｂｂと公共料金支払い１１０ｂｃなどがる。また、閲覧と取引が両方できるものとしてはカブブロック取引１１０ｂｄがる。お財布１１０ｂａは、お札アイコンのドラッグアンドドロップで実際にお金を取引することができ、残高は通帳ウィジェットと連動させることができる。貯金箱１１０ｂｂは、貯金額の目標・貯金の目的を設定し、へそくり的にお金をコツコツ貯めることができるものであり、お財布ウィジェットからお金をドラッグアンドドロップしてお金の入金を行うことができるし、目標達成前に貯金を崩すのは困難な仕掛けをし、強制的に貯めさせることができる。公共料金支払い１１０ｂｃは、月々の公共料金支払日が近づくとアイコンが光って教えてくれるものであり、お財布ウィジェットからお金をドラッグアンドドロップして入金することができる。カブブロック取引１１０ｂｄは、保持している株を登録し、リアルタイムに値動きを閲覧できるものであり、マイナスの値動きが赤、プラスの値動きが青、大きく変動のあったものが大きく表示され、お財布ウィジェットからお金をドラッグアンドドロップして投資額を増やすこともできる。
【００４５】
次に図１０を参照して、閲覧ウィジェット１１０ａの基本的な動作フローを説明する。制御装置１０８はウィジェットアイコン１１０の動作プログラム１７３にしたがってウィジェットアイコン１１０の所定の動画動作を実行させる（ステップ３８１）。そして、所定の時間が経過したかを判定し、所定の時間が経過したら（ステップ３８３）、情報収集の要求を統括管理プログラムに要求する（ステップ３８５）。動作プログラム１７６のプログラムにしたがって、制御装置１０８は認証が必要な情報収集要求か否かを判定し（ステップ３８９）、認証が必要でなければ情報要求を情報提供会社７０に送信する（ステップ３９５）。この実施の形態では、ウィジェットデータ１７１ごとに判定条件を備えており、この判定条件にしたがって前記ステップ３８９が判定される。
【００４６】
一方、認証が必要であると判定された場合には、図示しない認証要求ウインドウをウィジェットデータ１７１に近接して表示し（ステップ３９１）、認証がＯＫの場合（ステップ３９３）、情報要求を情報提供会社７０に行う（ステップ３９３）。情報提供会社７０が提供する情報を取得すると（ステップ３９８）、制御装置１０８は、履歴情報を生成して格納し（ステップ３９７）、その入手した情報をウィジェットデータ１７１に提供する。このウィジェットデータ１７１は提供された情報に基づいて情報表示部１１１に表示される内容を更新する（ステップ３８７）。
【００４７】
次に、図１１と図１２を参照して取引ウィジェット１１０ｂの動作フローを説明する。ここで、具体的な事例として、図１２に示すように、貯金箱ウィジェット１１０ｂｂにお財布ウィジェット１１０ｂａからドラッグ操作で入金する場合について説明する。
【００４８】
図１１において、この実施の形態では、ドラッグされた取引ウィジェット１１０ｂが主体となって取引動作を実行する。即ち、貯金箱ウィジェット１１０ｂｂの動作プログラムで動作する制御装置１０８は、取引ウィジェット１１０ｂ（貯金箱ウィジェット１１０ｂｂ）の動作プログラムにしたがってドラッグに基づいて情報がもたらされたか否かを判定している（ステップ４01）。ドラッグ情報がある場合、予め動作プログラム１７３に格納されている判定条件にしたがって受け入れ可能な情報か否かを判定する。
【００４９】
例えば、貯金箱ウィジェット１１０ｂｂの場合は、金額の情報は受け入れるが、金額以外の情報がドラッグされると情報の受け入れを拒否する（ステップ４１６）。一方、受け入れ可能な情報であれば、相手方の取引ウィジェット１１０ｂ（お財布１１０ｂａ）との連携要求を統括管理プログラム１７０に要求する（ステップ４０５）。統括管理プログラム１７０は、相手ウィジェットであるお財布ウィジェット１１０ｂａに仮表示変更を指示し（ステップ４２１）、連携表示の仮許可通知を貯金箱ウィジェット１１０ｂｂに出すとともに（ステップ４２３）、貯金箱ウィジェット１１０ｂｂの近傍のディスクトップ上１５０上に認証要求ウインドウ１１３を表示させる（ステップ４３５）。
【００５０】
一方、連携表示仮許可通知を受けた取引ウィジェット１１０ｂは、ドラッグに基づいた表示を仮に変更する（ステップ４０７）。そして、所定時間経過したかを監視し（ステップ４０９）、所定時間経過した場合は警告表示を行い（ステップ４１１）、更に所定時間経過したかを監視し（ステップ４１３）、所定時間経過したら、ドラッグによる仮表示の停止信号を統括管理プログラム１７０に送信する（ステップ４１５）。即ち、この実施の形態では、所定時間以内にドラッグ操作を行えば、その操作は仮表示として受手と相手の取引ウィジェット１１０ｂの表示内容を変更することができる。しかし、その表示内容も所定時間以内に認証手続きをしないとキャンセルされることとなる。即ち、統括管理プログラム１７０は仮表示の停止信号を受け付けると相手の取引ウィジェット１１０ｂに仮表示停止指示を出すとともに（ステップ４３３）、連携表示の仮表示停止指示を受手の取引ウィジェット１１０ｂに出して（ステップ４３５）、履歴情報を生成するステップ４３７）。一方、受手の取引ウィジェット１１０ｂもドラッグによる仮表示を停止して、元のドラッグ前の状態に復活させる（ステップ４１７）。
【００５１】
さて、統括管理プログラム１７０は、ステップ４３５において、認証要求ウインドウ１１３に暗証番号が入力されたか否かを監視し（ステップ４２７）、暗証番号が入力された場合は認証の判定を行う（ステップ４２９）。そして、認証がＯＫと判定された場合、ドラッグされたデータの更新要求を金融機関ホストサーバ２０に送信する（ステップ４３１）。金融機関ホストサーバ２０は前記送信に基づいてデータを更新し（ステップ４３９）、当該更新した内容を各ウィジェットに通知するので（ステップ４４０）、この新たな更新内容に基づいて、受手と相手の取引ウィジェット１１０ｂの表示内容が書き換えられることと成る。
【００５２】
次に、図１３を参照して他の実施の形態に係るウィジェットアイコン１１０の生成時の動作フロー図を説明する。この実施の形態では、制御装置１０８は、ウィジェットメニュー領域１２０からメニューアイコン１３０がドラッグされたか否かを監視し（ステップ４５１）、メニューアイコン１３０がドラッグされた場合は、このメニューアイコン１３０に対応するウィジェットアイコン１１０の起動アイコンを利用者端末１００のスタートアップに生成する（ステップ４５３）。そして、ウィジェットアイコン１１０をディスクトップ１５０上に生成し、起動させる（ステップ４５５）。
【００５３】
一方、ウィジェットアイコン１１０が削除指示が成されると（ステップ４５７）、ウィジェットアイコン１１０をディスクトップ１５０上から消去して起動を停止し（ステップ４６３）、スタートアップから起動アイコン４６５を削除する（ステップ４６５）。
【００５４】
ウィジェットアイコン１１０の削除指示がない場合は、利用者端末の処理が成されると（ステップ４５９）、ディスクトップを記憶装置に格納して（ステップ４６１）、利用者端末１００を起動停止する。
【００５５】
この実施の形態によれば、ウィジェットアイコン１１０は、その起動アイコンがスタートアップに格納された状態で利用者端末１００が処理を停止するので、再び、利用者端末１００を起動させると、通常のスタットアップに格納された動作プログラムと同様に起動時のディスクトップ１５０上に起動した状態で表示することができる。
【００５６】
以上述べたように、この実施の形態に係るウィジェットシステムによれば、ネットワークを介して他の情報提供サイトから情報を取得することが可能であって、ディスクトップ上に表示されるメニュー領域にメニューアイコンとして表示される状態では、その動作を停止状態とし、前記メニューアイコンを前記メニュー領域からディスクトップ上にドラッグされた状態では前記ネットワークを介して取得した情報を表示するウィジェットとして動作するようにする。この場合、前記ウィジェットは、前記メニューアイコンごとに設定される個別動作プログラムと、この個別動作プログラムを統括的に制御する統括管理プログラムとから構成される。そして、前記個別動作プログラムは、メニュー画像データと、前記メニュー領域の画像データと、動作プログラムデータと、利用者の個人情報を含む認証データと、情報を取得する相手アドレス情報を含んで構成され、前記個別動作プログラムは、ディスクトップ上で表示されるウィジェットアイコンの画像データと、前記ウィジェットアイコンの動作プログラムとを含んで構成される。更に、前記ウィジェットは、該ウィジェットがディスクトップ上に表示される他のウィジェットからの情報をドラッグ操作で受け付け、予め設定される条件に合致する情報であれば、他のウィジェットと自分のウィジェットの情報の表示内容を変更することができる。
【００５７】
したがって、この実施の形態によれば、必要なウィジェットを任意のメニューとしてディスクトップ上に表示し、このメニューからドラッグの操作でディスクトップ上に表示したり削除したりすることができるので、利用者の好みに即してカスタマイズする即応性のあるサービスを提供することができる。
【図面の簡単な説明】
【００５８】
【図１】金融情報提供システムのシステム構成図である。
【図２】金融機関ホストサーバの顧客のチャネル管理構成図である。
【図３】ウィジェットのデータ構成図である。
【図４】ウィジェットのダウンロードフロー図である。
【図５】ウィジェットのダウンロード時の画面遷移図である。
【図６】ウィジェットのダウンロード時の画面遷移図である。
【図７】ウィジェットアイコン１１０の生成時の動作フロー図である。
【図８】利用者端末の起動時の動作フロー図である。
【図９】ディスクトップの画面図である。
【図１０】閲覧ウィジェットの動作フロー図である。
【図１１】取引ウィジェットの動作フロー図である。
【図１２】取引ウィジェットの画面図である。
【図１３】他の実施の形態に係るウィジェットアイコン１１０の生成時の動作フロー図である。
【符号の説明】
【００５９】
１０…ネットワーク、２０…金融機関ホストサーバ、２１…ＨＵＢサーバ、２２…統合チャネルサーバ、２３…勘定系ホストサーバ、２４…ウィジェット管理サーバ、２５…顧客情報管理サーバ、２６…残高管理サーバ、２７…履歴管理サーバ、２８…取引管理サーバ、２９…通信装置、３０…顧客管理サーバ、７０…情報提供会社、７１…通信装置、７２…記憶装置、７３…情報提供サーバ、１００…利用者端末、１０１…端末本体、１０２…表示装置、１０３…キーボード、１０４…マウス、１０５…スピーカ、１０６…通信装置、１０７…記憶装置、１０８…制御装置、１１０…ウィジェットアイコン、１１０ａ…閲覧ウィジェット、１１０ａａ…通帳ウィジェット、１１０ａｂ…投資信託ウィジェット、１１０ａｃ…マーケット情報、１１０ａｄ…残高メーター、１１０ａｅ…コミュニティウィジェット、１１０ａｆ…バンクチャンネル、１１０ｂ…取引ウィジェット、１１０ｂａ…お財布、１１０ｂｂ…貯金箱、１１０ｂｃ…公共料金支払い、１１０ｂｄ…カブブロック取引、１１１…情報表示部、１１２…削除ボタン、１１３…認証要求ウインドウ、１２０…ウィジェットメニュー領域、１３０…メニューアイコン、１５０…ディスクトップ、１７０…統括管理プログラム、１７１…ウィジェットデータ、１７２…ウィジェットアイコンの画像データ、１７３…動作プログラム、１７４…メニュー画像データ、１７５…メニューアイコンの画像データ、１７６…動作プログラム、１７７…個人認証データ、１７８…通信先データ、５００…ウィジェットメニュー、５０１…サービス概要、５０２…詳細要求ボタン、５０３…回答欄５０３、５０４…次へボタン、５０５…戻りボタン、５０６…確定ボタン、５１０…確認画面、５１１…入力欄、５１２…送信ボタン。
【図１】
0005147352.tif 000002
【図２】
0005147352.tif 000003
【図３】
0005147352.tif 000004
【図４】
0005147352.tif 000005
【図５】
0005147352.tif 000006
【図６】
0005147352.tif 000007
【図７】
0005147352.tif 000008
【図８】
0005147352.tif 000009
【図９】
0005147352.tif 000010
【図１０】
0005147352.tif 000011
【図１１】
0005147352.tif 000012
【図１２】
0005147352.tif 000013
【図１３】
0005147352.tif 000014